(57)【要約】  人の肌に直接的な熱の悪影響を及ぼすことなく、しかも焼灼後の体毛の毛先を揃えることができ、省電力で効率良く除毛することができるレーザ脱毛器を提供する。レーザ脱毛器が、肌面を接触させる接触面と、接触面に形成された凹部とを有する筐体と、筐体内に配設されレーザ光を生成するレーザ光発生部と、凹部の内壁面に形成され、レーザ光を凹部内の空間を介して内壁に向けて射出する第１の孔部とを具備する。
2013051219.tif 000002
【特許請求の範囲】
【請求項１】
肌面を接触させる接触面と、当該接触面に形成された凹部とを有する筐体と、
前記筐体内に配設されレーザ光を生成するレーザ光発生部と、
前記凹部の内壁面に形成され、前記レーザ光を前記凹部内の空間を介して前記内壁に向けて射出する第１の孔部と、
を具備するレーザ脱毛器。
【請求項２】
前記凹部の内壁面に形成され、前記レーザ光を前記凹部内の空間を介して前記内壁に向け、前記第１の孔部から射出される前記レーザ光の射出方向とは異なる方向に射出する第２の孔部をさらに備えた請求項１記載のレーザ脱毛器。
【請求項３】
前記第１の孔部は、前記接触面に沿って直線上に配置される請求項１または２に記載のレーザ脱毛器。
【請求項４】
前記第１の孔部に対向するスリットを有する請求項１ないし３のいずれか１項に記載のレーザ脱毛器。
【請求項５】
前記第１の孔部と略平行に、かつ一部が前記肌面に接触するように配置され、前記第１の孔部から射出されたレーザ光を吸収して発熱する発熱体を備える請求項１ないし４のいずれか一項に記載のレーザ脱毛器。
【請求項６】
前記レーザ光発生部および前記第１の孔部に接続され、前記レーザ光発生部が生成したレーザ光を前記第１の孔部に伝送する管状のレーザ光導出部をさらに備える請求項１ないし５のいずれか一項に記載のレーザ脱毛器
【請求項７】
前記第１の孔部から照射されるレーザの方向に向かって前記肌面に対して前記接触面が移動したことを検知する検知部と、
この検知部での検知に基づき、前記レーザ光線の照射をオンオフする制御部と、
を備える請求項１ないし６のいずれか一項に記載のレーザ脱毛器。
【発明の詳細な説明】
【技術分野】
【０００１】
本発明は、レーザ光の照射によって体毛を除去するレーザ脱毛器に関する。
【背景技術】
【０００２】
従来、顔ひげや手足の毛髪を除去（すなわち、除毛や脱毛）するものとして非電動の剃刀や毛抜きなどが用いられている。これらの使用は、面倒で不快感を伴いがちである。これらの使用によって皮膚に直接刺激やダメージを与えたりすることもある。
一方、電気機械化された装置として、ドライシェーバと呼ばれるものが提供されている。このドライシェーバは、車中での使用が可能である。ドライシェーバは、皮膚に大きなダメージを与えない電気機械式の剃刀が広く使用されている。この電気機械式の剃刀は、回転刃をモータなどで回転させる構成である。このため、この電気機械式剃刀は、騒音を発生させ周辺環境に悪影響を与えることがある。【０００３】
また、皮膚の近傍で、高熱のワイヤやリボンを用いて当該皮膚に生えた体毛を焼灼するヒートジェネレータと呼ばれる除毛装置が提案されている（例えば、特許文献１参照）。ヒートジェネレータは、騒音を発生させることなく体毛を除去することができる。このヒートジェネレータは、加熱要素であるワイヤやリボンに対し熱パルスを供給する。したがって瞬時温度が高くても、平均温度を抑えることができる。この結果、ヒートジェネレータは、皮膚に対して、熱によるダメージを与えないという利点がある。
【先行技術文献】
【特許文献】
【０００４】
【特許文献１】特許第４２２７８９３号明細書
【発明の概要】
【発明が解決しようとする課題】
【０００５】
しかしながら、上記した従来の除毛装置では、体毛の除去のために熱を加える加熱要素がワイヤやリボンであるため、焼灼による体毛の切除に時間が掛かる場合がある。例えば、ワイヤやリボンが熱抵抗を持つため、ワイヤやリボンの温度が、体毛を焼灼できる温度に達するまでに時間が掛かることがある。また、上記した従来の除毛装置では、毛の太さの違いによって焼灼のスピードが異なるため、焼灼後の毛先が、不揃いになってしまう場合がある。さらにワイヤやリボンを使用した場合、電力消費が大きくなるという不都合がある。【０００６】
本発明は、上記した事情に鑑みてなされたものであり、レーザ光が持つ光の直進性および収束性を利用することによって人の肌（皮膚）に直接的な熱の悪影響を及ぼすことなく、しかも焼灼後の体毛の毛先を揃えることができるレーザ脱毛器を提供することを目的とする。そして本発明によれば、省電力で、効率良く体毛を除去することができる。
【課題を解決するための手段】
【０００７】
前述した目的を達成するために、本発明に係るレーザ脱毛器は、肌面を接触させる接触面と、当該接触面に形成された凹部とを有する筐体と、前記筐体内に配設されレーザ光を生成するレーザ光発生部と、前記凹部の内壁面に形成され、前記レーザ光を前記凹部内の空間を介して前記内壁に向けて射出する第１の孔部と、を具備する。
本発明に係るレーザ脱毛器は、前記凹部の内壁面に形成され、前記レーザ光を前記凹部内の空間を介して前記内壁に向け、前記第１の孔部から射出される前記レーザ光の射出方向とは異なる方向に射出する第２の孔部をさらに備えてもよい。
本発明に係るレーザ脱毛器は、レーザ光発生部および前記第１の孔部に接続され、前記レーザ光発生部が生成したレーザ光を前記第１の孔部に伝送する管状のレーザ光導出部をさらに備えることもできる。【０００８】
また、本発明に係るレーザ脱毛器は、第１の孔部を、前記接触面に沿って直線上に配置することもできる。この構成により、本発明に係るレーザ脱毛器は、前記凹部内に案内された体毛を、前記接触面に沿って同時に、かつ効率的に焼灼できる。【０００９】
また、本発明に係るレーザ脱毛器は、前記第１の孔部に対向するスリットを有する。この構成により、使用者が、レーザ脱毛器の本体を肌に沿って移動させたときに、スリットをガイドとして使用できる。この結果、本発明に係るレーザ脱毛器は、体毛を前記凹部内にスムースに案内できる。さらに、このスリットによって、体毛を立たせたり、整えたりすることができる。この結果、体毛を前記接触面に沿って、所定の高さとなるように切り揃えることができる。【００１０】
また、本発明に係るレーザ脱毛器は、前記第１の孔部と略平行に、かつ一部が前記肌面に接触するように配置され、前記第１の孔部から射出されたレーザ光を吸収して発熱する発熱体を備える。発熱体は、光エネルギを熱エネルギに変換して高温になる。この発熱体の発熱によって、肌の毛穴を開かせて除去作用をさらに高められる。発熱体はレーザ光によって発熱する為、肌の毛穴を開かせるために余計な電力を消費することがない。また、この発熱体が、光を吸収するので、放射されたレーザ光が使用者の目に入ることを回避することができる。【００１１】
また、本発明に係るレーザ脱毛器は、前記第１の孔部から照射されるレーザの方向に向かって前記肌面に対して前記接触面が移動したことを検知する検知部と、この検知部での検知に基づき、前記レーザ光線の照射をオンオフする制御部とを備えることもできる。この構成により、使用者が、肌上で所定の方向にレーザ脱毛器を前進させたときだけ自動的にレーザ光が照射される。レーザ脱毛器の移動を停止または後退させたときには、自動的にレーザ光の照射が停止する。この結果、レーザ光の常時照射による電力の損失を抑えられる。
【発明の効果】
【００１２】
本発明によれば、人の肌（皮膚）に直接的な熱の悪影響を及ぼすことなく、しかも焼灼後の毛先を揃えることができる。本発明によれば、省電力で、効率良く体毛を除去することができる。
【図面の簡単な説明】
【００１３】
【図１】第１実施形態のレーザ脱毛器を示す斜視図。
【図２】第１実施形態のレーザ脱毛器の内部装置の概略を示した一部破断正面図。
【図３】第１実施形態の変形例を示す斜視図。
【図４】第２実施形態によるレーザ脱毛器の内部装置の概略を示した一部破断正面図。
【図５】レーザ脱毛器の変形例を示す斜視図。
【図６】レーザ脱毛器の変形例を示す斜視図。
【図７】レーザ脱毛器の変形例を示す平面図。
【図８】レーザ脱毛器の変形例を示す平面図。
【発明を実施するための形態】
【００１４】
以下、実施の形態を図に基づき説明する。
【００１５】
［第１実施形態］
図１および図２において、第１実施形態に係るレーザ脱毛器１００は、筐体１、レーザ光出口２および発熱体３を具備している。レーザ脱毛器１００は、レーザ光によって体毛を焼灼することができる。レーザ光を使用することで、ワイヤやリボンを加熱する除毛装置に比べて省電力で体毛を除去することができる。
筐体１は、全体として壁部５ａ、５ｂ、５ｃおよび５ｄによって囲われた直方体形状を有している。壁部５ａ、５ｂ、５ｃおよび５ｄそれぞれに接する筐体１の一方の端面には、その略中央部に凹部４が形成されている。凹部４は、壁部５ａ、５ｂ、５ｃおよび５ｄの内壁により画定され、所定の深さを有している。
【００１６】
凹部４が形成された筐体１の端面（壁部５ａ〜５ｄの端部）は、後述のように人の肌、例えば顔や手足の皮膚に接触（当接）可能で、滑らかな面（接触面）Ｐをなしている。
凹部４をなす対向する一対の壁部５ａ、５ｂの縁部には、それぞれ複数個（図１に示す例では９個）のスリット６、７が凹部４の当該縁部に沿って等間隔に配置される。スリット６、７は、凹部４の内壁から筐体１の外壁へ連通している。これらのスリット６、７は、互いに同形状、同サイズである。スリット６、７は、対応するスリット同士が互いに対向する位置にある。結果的に、スリット６、７は、壁部５a、５ｂそれぞれに同形状、同サイズの複数の突出部８、９を形成する。スリット６を挟む壁部５aの突出部８それぞれには、発熱体３が配設されている。
スリット６、７は、焼灼の対象である体毛を、立たせたり整えたりしながら、当該体毛を凹部４内に案内するガイドとして機能する。
【００１７】
スリット７を挟む壁部５ｂの突出部９の内側面（突出部８に対向する凹部４の内壁面）には、複数のレーザ光出口２がそれぞれ設けられている。全体としてレーザ光出口２は、壁部５ｂの縁部の接触面Ｐに沿って一直線に配置される。
レーザ光出口２は、突出部８に配設された発熱体３に向けてレーザ光を放射する為に設けられた孔である。各突出部９の内側面に設けられたレーザ光出口２から放射されたレーザ光（図１の矢印Ｒ）は、突出部９それぞれに対応する各突出部８の内側面に設けられた発熱体３に照射される。レーザ光出口２には、集光レンズを配置してもよい。集光レンズを配置することによって、レーザ光を効率よく発熱体３に照射することができる。
【００１８】
発熱体３は、突出部８の上面（接触面Ｐ）の一部から凹部４の内壁面（突出部９に対向する面）に連続するように設けられる。全体として、発熱体３は、突出部８と同じ幅となるように、そして断面が逆Ｌ字形状となるように取り付けられている。これらの発熱体３は突出部８の上面および内側面に接着される。発熱体３は、筐体１の成型時に一体的に配設してもよい。
レーザ光出口２から放射するレーザ光に赤外線レーザを使う場合には、発熱体３は、赤外線吸収材によって構成される。この場合、発熱体３は、インク状の赤外線吸収材を突出部８に塗布したり、シート状・フィルム状の赤外線吸収材を突出部８に張り付けたりすることで実現される。
【００１９】
図２に示すように、この実施形態のレーザ脱毛器１００は、前述したレーザ光出口２および発熱体３に加えて、レーザ光発生部１１、検知部１２、バッテリ１３、電源スイッチ１４、受電コネクタ１５、ＡＣ−ＤＣ変換部１６および制御部１７を筐体１に具備している。
レーザ光発生部１１は、指向性および収束性に優れるレーザ光を発生させる装置である。レーザ光発生部１１は、例えば、小径のパルスレーザ装置であり、所定の発振方法によって所定の波長のレーザ光を発生させる。レーザ光発生部１１の光源としては、固体レーザ、ガスレーザまたは半導体レーザなどを用いることができる。レーザ光発生部１１の出力レベルは、人の体毛を短時間で焼灼することが可能なレベルに調節される。レーザ光発生部１１は、電力が供給されるとすぐに、体毛を焼灼可能なレーザ光を照射することができる。すなわち、レーザ光発生部１１によれば、ワイヤやリボンによる体毛の焼灼に比べて、体毛の焼灼処理にかかる時間を短縮することができる。レーザ光発生部１１は、導光体である光導出管１１Ａによってレーザ光出口２と接続される。
【００２０】
光導出管１１Ａは、レーザ光の伝送路である。光導出管１１Ａは、レーザ光発生部１１で発生したレーザ光をレーザ光出口２に導出する。光導出管１１Ａは、例えば光ファイバなどであり、多層構造を有している。すなわち、レーザ光発生部１１で発生したレーザ光は、光導出管１１Ａ内で反射を繰り返しながらレーザ光出口２へ導出される。レーザ光出口２へ導出された発熱体３に向けて放射される。なお、ここでは図示を省略したが、筐体１には、光分波器を内蔵させることができる。光分波器によって、レーザ光発生部１１が生成したレーザ光は、所定の数のレーザ光に分波される。分波されたレーザ光が、それぞれ光導出管１１Ａを介して複数のレーザ光出口２から放射される。
検知部１２は、人の肌に接近または接触状態となったことを電気的、静電的または光学的に検出するセンサである。検知部１２は、筐体１の接触面Ｐが人の肌に接触または接近したことを検知する。検知部１２は、レーザ光の発熱体３への放射をオンオフする制御に用いられる。例えば、使用者が筐体１の接触面Ｐを肌に押し当てるようにすることで、検知部１２が肌の接触（または肌に接触するほど接近したこと）を検知する。この結果、レーザ光発生部１１が、レーザ光を生成する。そして、生成されたレーザ光が発熱体３に対して放射される。筐体１の接触面Ｐを肌から離したとき、レーザ光発生部１１は、駆動を停止する。この結果、発熱体３に対するレーザ光の放射が停止される。
【００２１】
電源スイッチ１４は、レーザ光発生部１１に対する電力の供給をオンオフする。なお、電源スイッチ１４の機能を検知部１２に備えさせ、電源スイッチ１４を省略してもよい。すなわち、人の肌に筐体１の接触面Ｐが接触または接近したことを検知部１２が検知することで、レーザ光発生部１１に対する電力の供給をオンオフしてもよい。
受電コネクタ１５には、ＡＣコード１９が接続されたＡＣプラグ１８が差し込まれる。ＡＣプラグ１８を受電コネクタ１５に差し込んだ時、ＡＣ−ＤＣ変換部１６は、交流電力を直流電力に変換する。そして、変換された直流電力は、制御部１７に供給される。
この制御部１７は、ＡＣ−ＤＣ変換部１６から送られる直流電力およびバッテリ１３から出力される直流電力の一方を選択する。制御部１７は、選択した直流電力をレーザ光発生部１１に供給する。
【００２２】
なお、電源スイッチ１４がオンの状態にあるとき、かつ受電コネクタ１５にＡＣプラグ１８が挿し込まれている場合は、制御部１７は、バッテリ１３からの電力供給を停止する。すなわち、制御部１７は、ＡＣ−ＤＣ変換部１６を介して入力される直流電力をレーザ光発生部１１に供給する。電源スイッチ１４がオンの状態にあるとき、かつ受電コネクタに１５にＡＣプラグ１８が挿し込まれていない場合は、制御部１７は、バッテリ１３の電力をレーザ光発生部１１に供給する。
制御部１７は、検知部１２からの検知信号に基づいてレーザ光発生部１１の駆動のオンオフを制御する。「検知部１２の検知信号」は、例えば筐体１の接触面Ｐが人の肌に接触または接近したことを検知部１２が、検知したことに対応して出力される信号である。
【００２３】
次にレーザ脱毛器１００の動作を説明する。
まず使用者は、筐体１の受電コネクタ１５に給電コード１９が接続された給電コネクタ１８を接続する。続いて電源スイッチ１４をオンにする。電源スイッチ１４をオンにすることにより、制御部１７は、給電コード１９、給電コネクタ１８、受電コネクタ１５およびＡＣ−ＤＣ変換部１６を介して供給される電力をレーザ光発生部１１に供給する。このとき、制御部１７は、バッテリ１３からレーザ光発生部１１への電力の供給を遮断する。
筐体１の受電コネクタ１５に給電コード１９が接続された給電コネクタ１８を接続しないで、電源スイッチ１４がオンにされた場合には、制御部１７は、バッテリ１３からレーザ光発生部１１に直流電力を供給する。
【００２４】
続いて、体毛の除去作業を開始するため、使用者は、筐体１の凹部４を体毛を除去すべき位置の肌に向ける。さらに使用者は、筐体１の接触面Ｐを肌に当接または接近させる。検知部１２は、接触面Ｐが肌に接触または接近したことを検知する。この検知に基づいて制御部１７はレーザ光発生部１１を駆動させる。この結果、各レーザ光出口２からこれらに対向するそれぞれの発熱体３に向けてレーザ光が放射される。
その肌面に沿って滑らせるように筐体１を移動させることで肌に生えている体毛が、スリット６およびスリット７にガイドされて凹部４内を通過する。このとき、スリット６またはスリット７により、これらを通過した体毛は立ち上げられ、または整えられたりしながら、凹部４に案内され、後の体毛の除去作業において長さを揃えられる。
【００２５】
（体毛の焼灼について）
レーザ光は、スリット６またはスリット７を通過して凹部４内に案内された体毛を所定の高さのところで焼灼する。
【００２６】
体毛の焼灼の際にレーザ光出口２から放射されたレーザ光によって、このレーザ光を受けた発熱体３は加熱される。この加熱された発熱体３と接触した皮膚近傍の肌は適度に暖められる。この結果、毛穴が開き、皮膚に対してより近い位置から除毛を実施できる。また、発熱体３は光吸収体として機能する。すなわち、発熱体３から別の方向にレーザ光を反射させることがない。したがって、レーザ光が使用者の目に入ることを回避でき、安全である。
【００２７】
このようにして、体毛の除去を行なった後、筐体１を操作して接触面Ｐを肌から離す。この結果、検知部２は、筐体１が肌から離れたことを検知する。検知部２によるこの検知に基づいて、制御部１７が、レーザ光発生部１１の駆動を停止させる。このことにより、レーザ光による体毛の焼灼を停止することができる。
ここで使用者が電源スイッチ１４をオフにすることで、バッテリ１３やＡＣ−ＤＣ変換部１６からレーザ光発生部１１への電力供給を停止できる。最後に、給電コネクタ１８を受電コネクタ１５から引き抜くことで一連の除毛作業を終了することができる。使用者が電源スイッチ１４をオフにせずに、再度、接触面Ｐを肌に接触または接近させることで、除毛作業を再開・継続することができる。
なお、焼約によって切除された体毛の一部は、一旦凹部４内に貯まる。除毛作業中または除毛作業終了後に、凹部４を下に向けるように筐体１を操作することで、当該体毛を凹部４から簡単に排除できる。
【００２８】
以上説明したように、レーザ脱毛器１００では、スリット６、７を設けたことで、筺体１を肌に沿って移動させたときに、このスリット６または７をガイドとして体毛を凹部４内にスムースに案内することができる。このとき、スリット６、７によって、体毛を立たせたり、整えたりすることができる。そして、筺体１の進行方向と平行にレーザ光が放射されるため、スリット６または７を通過した体毛を所定方向長にわたって、所定の高さに揃うように、焼灼することができる。
凹部４内において、体毛の一部がレーザ光の照射を受けて、集中的に焼灼されるため、レーザ光が照射された全ての体毛は、どれも均質で形状が揃った焼灼面となる。各レーザ光出口２が凹部４の縁部に沿って等間隔に、直線状に配置されることで、広範囲の体毛にレーザ光を照射することができる。したがって、迅速に除毛を施すことが可能となる。
【００２９】
レーザ脱毛器１００では、発熱体３にレーザ光出口２から放射されたレーザ光を吸収させて発熱させる。発熱体３は、光エネルギを熱エネルギに変換して熱を発生する。この発熱体３の発熱によって、発熱体３と接触する肌の毛穴が開く。この結果、除毛の効果を高めることができる。
【００３０】
[第１実施形態の変形例]
次に図３を用いて本発明の第１実施形態の変形例であるレーザ脱毛器２００を説明する。この変形例では、図１に示す検知部１２に代えてローラ型検知部１２Ａを用いる。ローラ型検知部１２Ａは、筐体１を手で操作し、接触面Ｐを肌に接触または接近させて移動させた際に、ローラ２０が回転したことを検知する。ローラ型検知部１２Ａは、ローラ２０が回転したことを示す信号（以下、「回転検知情報」と称す。）を制御部１７に出力する。制御部１７はこの回転検知情報を受信した場合に、レーザ光発生部１１の駆動のオンオフを制御する。「回転検知情報」の検知に基づいてレーザ光発生部１１の駆動のオンオフが制御されるので、筺体１が肌に接触または接近しかつ移動させられたとき以外にはレーザ光が放射されない。このことにより、不必要にレーザ光が放射されることを防止することができる。結果として、レーザ光の生成に要する電力（消費電力）を抑えることができる。
【００３１】
ローラ型検知部１２Ａは、ローラ２０が特定の方向に回転した場合にのみ回転検知情報を制御部１７に出力するものであることが望ましい。例えば、レーザ光出口２から放射されるレーザ光の放射方向（図３の矢印の方向）に向かって筐体１が移動した場合にのみローラ型検知部１２Ａは、回転検知情報を制御部１７に出力する。
このようにローラ２０が一方に回転した場合にのみローラ型検知部１２Ａが、回転検知情報を制御部１７に出力することで、例えば肌上においてレーザ光の放射方向に筺体１を前進させた場合、自動的にレーザ光を放射させることができる。そして、筐体１の移動を停止させたときまたは後退させたときは、自動的にレーザ光の放射を停止させることができる。
ローラ型検知部１２Ａを備えない場合、筐体１を往復移動させると、この往復移動に対応してレーザ光が放射される。したがって、同一の体毛に対して必要以上に繰り返しレーザ光が照射されることがある。この結果、レーザ光によって焼かれた後に残った体毛の長さがそれぞれ不揃いになったり、肌の角質を痛めてしまったりすることがある。ローラ型検知部１２Ａを備えることによって、当該同一の体毛に対して必要以上に繰り返しレーザ光が照射されることを防止することができる。また、肌の角質を痛めてしまうことを防止することができる。。さらに、ローラ型検知部１２Ａを備えることによって、レーザ光の常時放射による消費電力を抑えることができる。
【００３２】
[第２実施形態]
次に図４を用いて本発明の第２実施形態であるレーザ脱毛器３００を説明する。なお以下の説明では第１実施形態のレーザ脱毛器１００と同様の部分には同一の符号をつけ、重複する説明は省略する。
この第２実施形態のレーザ脱毛器３００には、レーザ光出口２の開口部にハーフミラー２１が配設される。ハーフミラー２１から凹部４の開口部方向の壁部５ｂには、所定サイズ、所定形状の２個のミラー２２が、等間隔に配設される。
【００３３】
また、発熱体３から凹部４の底部方向の壁部５ａには２枚のミラー２３が等間隔に配置される。ハーフミラー２１、ミラー２２および２３は、これらを透過または反射しながら進むレーザ光の光軸上に位置するように配置される。
ハーフミラー２１によれば、レーザ光出口２から放射されたレーザ光が、例えばミラー２３によってレーザ光出口２に向かって反射された場合に、この反射されたレーザ光がレーザ光出口２に入ってしまうことを防止することができる。
レーザ光出口２から放射されたレーザ光は、まずハーフミラー２１を通過する。続いて、レーザ光は、突出部８に設けられた最下部のミラー２３で反射される。続いて、レーザ光は、突出部９に設けられたハーフミラー２１上部のミラー２２で反射される。続いて、レーザ光は、突起部８に設けられた他のミラー２３でさらに反射される。最終的に、レーザ光は、突出部８に設けられた発熱体３に照射される。
【００３４】
スリット６または７にガイドされて凹部４内に導かれた体毛は、ミラー２２、２３によって繰り返し反射されたレーザ光によって焼灼される。このレーザ脱毛器３００では、レーザ光一本当たり、レーザ光の進行方向の５箇所で体毛が焼灼される。この結果、体毛の除去をさらに効率的に実施することができる。このように、レーザ光をミラー２２、２３などで反射させる構成を採用することは、レーザ光発生部１１が生成するレーザ光のエネルギが低い場合に特に有効である。
【００３５】
以上、本願発明に係る第１、２実施形態及び第１実施形態の変形例について説明したが、本願発明は上記実施形態に限定されない。すなわち、本願発明は、種々の変更が可能である。以下、本願発明の変形例１〜３を説明する。
【００３６】
（変形例１）
例えば、レーザ光出口２にＬＤ（レーザダイオード）を直接配置してもよい。このＬＤとレーザ光発生部１１とを電気的に接続し、レーザ光を発熱体３に照射する。この場合には、光導出管１１Ａが不要となる。この結果、レーザ脱毛器１００などの製造コストを安くすることができる。
【００３７】
（変形例２）
図５、６に示すように、レーザ光出口２の配置個所を適宜変更してよい。例えば、図５に示すようにレーザ光出口２を壁部５ｂではなく、壁部５ｄに設けてもよい。この場合には、上記した筺体１の進行方向（体毛の移動方向）に直交する方向からレーザ光を体毛に照射することになる。なお、この場合には発熱体３は、壁部５ｃに設けられる。もちろん、レーザ光出口２を壁部５ｃに設けてもよい。この場合には、発熱体３は壁部５ｄに設けられる。
【００３８】
図６に示すように、レーザ光出口２を壁部５ｂおよび５ｄに設けてもよい。この場合、レーザ光がそれぞれ直交するように放射される。すなわち、壁部５ｂに設けられたレーザ光出口２から放射されたレーザ光ＲＢと、壁部５ｄに設けられたレーザ光出口２から放射され、レーザ光ＲＢの放射方向に直交する方向のレーザ光ＲＡによって体毛の除去処理うことができる。このように、レーザ光出口２を壁部５ｂのみに設けるのではなく、さらに壁部５ｄに設けることによって、レーザ光が体毛に当たる機会が増える。したがって、体毛をより効果的に焼灼することができる。なお、レーザ光ＲＡ、ＲＢが互いに干渉してしまわないように、壁部５ｂと壁部５ｄとでは、レーザ光出口２の配置位置を変えることが望ましい（例えば、壁部５ｄでは、壁部５ｂに比べて、レーザ光出口２を図６の凹部４の低い位置に配置する）。
【００３９】
図５または図６のレーザ光出口２の配置位置のさらなる変形例を説明する。レーザ光出口２を壁部５ｄに加えて対向する壁部５ｃに設けてもよい。この場合、レーザ光出口２を壁部５ｃ及び壁部５ｄに交互に設けることが望ましい。「交互に設ける」とは対向するレーザ光出口２から放射されたレーザ光Ｒ同士がぶつかってしまわないように、一方の壁部（例えば、壁部５ｃ）のレーザ光出口２の配置位置に対応する他方の壁部（例えば、壁部５ｄ）の領域には、レーザ光出口２を設けないことである。すなわち、壁部５ｃに、壁部５ｃから壁部５ｄに向かってレーザ光Ｒが放射されるレーザ光出口２を設けた場合、このレーザ光出口２から放射されたレーザ光Ｒが到達する壁部５ｄの領域にはレーザ光出口２を設けない。そして、壁部５ｃに設置されたレーザ光出口２から放射されたレーザ光Ｒが到達しない壁部５ｄの領域に、壁部５ｄから壁分５ｃに向かってレーザ光Ｒが放射されるレーザ光出口２を設ける。もちろん、このように交互に設けられるレーザ光出口２の構成を壁部５a、５ｂに適用してもよい。
【００４０】
（変形例３、４）
図７、図８に示すレーザ脱毛器４００、５００のように、壁部５a〜５ｄの形状およびレーザ光の放射方向を適宜変更してもよい。
以下、図７、図８を用いて、壁部５a〜５ｄの形状およびレーザ光の放射方向を変更した変形例３、４を説明する。
まずは、図７を参照して、変形例３であるレーザ脱毛器４００について説明する。図７は、レーザ脱毛器４００を真上から見た図である。図７に示すようにレーザ脱毛器４００は、壁部５a〜５ｄの一部が円弧状に形成される。詳細には、壁部５a〜５ｄのそれぞれの対向面が、それぞれの壁部５a〜５ｄの方向に向かって、弓なりに張り出すように形成される。
【００４１】
光導出管１１Ａは、レーザ光ＲＡ、ＲＢが導出される端部を壁部５a〜５ｄの形状に沿うようにして配設される。この結果、光導出管１１Ａによって導出されたレーザ光（図中のＲＡ、ＲＢ）は、対向するいずれかの壁部５a〜５ｄに配設された発熱体３に向かって、互いに異なる方向に放射される。この結果、レーザ光ＲＡ、ＲＢは、全体として扇状に広がるような形で放射される。なお、レーザ脱毛器４００では、図６に示したレーザ脱毛器１００の変形例として説明したように、レーザ光ＲＡ、ＲＢが互いに干渉してしまわないように、壁部５ｂと壁部５ｄとでは、レーザ光出口２の配置位置を変えることが望ましい。
レーザ脱毛器４００によれば、壁部５a〜５ｄの一部が円弧状に形成されることによって、接触面Ｐの面積が増える。この結果、肌面への接地面積が増える。この結果、体毛の除去の際に、肌面に対してのレーザ脱毛器４００の安定性を増すことができる。
【００４２】
次に、図８を参照して、変形例４であるレーザ脱毛器５００について説明する。図８は、レーザ脱毛器５００を真上から見た図である。図８に示すようにレーザ脱毛器５００は壁部５a〜５ｄの一部が円弧状に形成される。詳細には、壁部５a〜５ｄのそれぞれの対向面が、それぞれの壁の方向に向かって、弓なりに凹むように形成される。この結果、凹部４が全体として略円形状（図８では楕円形状）となるように形成される。
光導出管１１Ａは、レーザ光Ｒが導出される端部を壁部５a〜５ｄの形状に沿うようにして配設される。光導出管１１Ａによって導出されたレーザ光Ｒは、対向するいずれかの壁部５a〜５ｄに配設された発熱体３に向かって照射される。このとき、レーザ光Ｒは、凹部４の中心部を通る。
このように構成されたレーザ脱毛器５００では、導出されたレーザ光Ｒが、上記したように凹部４の中心部を通るので、各レーザ光が集まる凹部４の中心部でレーザ光が合成されてエネルギが高い状態になる。また、互いのレーザ光Ｒの間隔が密になる。この結果、他の実施の形態よりも、レーザ光発生部１１が生成するレーザ光の出力を低めに設定することができる。したがって、安全性を高めつつ、開口の中心部にてより強力に体毛の除去が行えるようになる。
【符号の説明】
【００４３】
１００〜５００…レーザ脱毛器、１…筐体、２…レーザ光出口、３…発熱体、４…凹部、５ａ〜５ｄ…壁部、６，７…スリット、８，９…突出部、１０…レーザ導出孔、１１…レーザ光発生部、１２…検知部、１３…バッテリ、１４…電源スイッチ、１５…受電コネクタ、１６…ＡＣ−ＤＣ変換部、１７…制御部、１８…給電コネクタ、１９…給電コード、２０…ローラ、２１…ハーフミラー、２２，２３…ミラー。
【図１】
2013051219.tif 000003
【図２】
2013051219.tif 000004
【図３】
2013051219.tif 000005
【図４】
2013051219.tif 000006
【図５】
2013051219.tif 000007
【図６】
2013051219.tif 000008
【図７】
2013051219.tif 000009
【図８】
2013051219.tif 000010
【国際調査報告】
2013051219.tif 000011
2013051219.tif 000012
2013051219.tif 000013
2013051219.tif 000014